(57)【要約】【課題】本発明は、携帯電話等の携帯端末を充電できるとともに、携帯端末の記憶する情報データを、携帯端末とはインターフェースの異なるネットワークで利用することができるＡＣアダプタを提供することを目的とする。【解決手段】交流電源から所定の直流電圧を生成する電源回路１１が実装された第１の回路基板１０と、  インターフェース変換手段２７、２７ａが搭載された第２の回路基板２０と、  少なくとも１つの面に導電膜４０が形成された中間壁３３を有し、該中間壁３３により、前記第１の回路基板１０を収容する第１の収容室３１と、前記第２の回路基板２０を収容する第２の収容室３２とが仕切られて形成されたケース３０、３０ａ、３０ｂと、  前記中間壁３３を貫通して、前記第１の回路基板１０と前記第２の回路基板２０とを接続するコネクタ５０、５１、５２と、を含むことを特徴とする。【選択図】図３
2010231953.tif 000002
【特許請求の範囲】
【請求項１】
交流電源から所定の直流電圧を生成する電源回路が実装された第１の回路基板と、
インターフェース変換手段及びＣＰＵが搭載された第２の回路基板と、
少なくとも１つの面に導電膜が形成された中間壁を有し、該中間壁により、前記第１の回路基板を収容する第１の収容室と、前記第２の回路基板を収容する第２の収容室とが仕切られて形成されたケースと、
前記中間壁を貫通して、前記第１の回路基板と前記第２の回路基板とを接続するコネクタと、を含むことを特徴とするＡＣアダプタ。
【請求項２】
前記導電膜は、金属蒸着膜であることを特徴とする請求項１に記載のＡＣアダプタ。
【請求項３】
前記第１の回路基板と前記第２の回路基板は、前記中間壁を隔てて対向して配置されていることを特徴とする請求項１又は２に記載のＡＣアダプタ。
【請求項４】
前記インターフェース変換手段は、ＵＳＢインターフェースとイーサネット（登録商標）インターフェースとの変換回路又は前記ＣＰＵが読み込む変換プログラムを含むことを特徴とする請求項１乃至３のいずれか一項に記載のＡＣアダプタ。
【請求項５】
前記第１の回路基板及び前記第２の回路基板には、トランスが搭載されていることを特徴とする請求項１乃至４のいずれか一項に記載のＡＣアダプタ。
【請求項６】
前記ケースの外側には、先端に携帯端末と接続可能なコネクタを有し、該携帯端末を充電させるとともに該携帯端末とＵＳＢ通信を行うケーブルと、イーサネットケーブルが接続可能なコネクタが備えられていることを特徴とする請求項４に記載のＡＣアダプタ。
【請求項７】
前記ケースの外側には、ＵＳＢコネクタと、イーサネットケーブルが接続可能なコネクタが備えられていることを特徴とする請求項４に記載のＡＣアダプタ。
【発明の詳細な説明】
【技術分野】
【０００１】
本発明は、ＡＣアダプタに関し、特に、電源回路が実装された第１の回路基板と、インターフェース変換回路が搭載された第２の回路基板とを有するＡＣアダプタに関する。
【背景技術】
【０００２】
従来から、電池パックを用いた携帯電話機の内蔵充電器に給電を行う給電システムにおいて、携帯電話機と嵌合して、携帯電話機の入力コネクタをデータ通信用ケーブルに接続するための凹部と、ＡＣアダプタを内蔵充電器に接続させるための給電用端子及び負極端子とを有する卓上ホルダと、卓上ホルダの給電用端子及び負極端子から内蔵充電器を介して電池パックへの充電を行う電池パック充電用電気回路とを備えた携帯電話機内蔵充電器給電システムが知られている（例えば、特許文献１参照）。
【０００３】
かかる携帯電話機内蔵充電器給電システムによれば、携帯電話機を卓上ホルダに嵌合することにより、入力コネクタを介さず内蔵充電器に直接的にＡＣアダプタが接続され、携帯電話機の入力コネクタはデータ通信のためにのみ用いることができるので、充電、データ通信を同時に行うことができる。
【先行技術文献】
【特許文献】
【０００４】
【特許文献１】特開２００１−５７７４１号公報
【発明の概要】
【発明が解決しようとする課題】
【０００５】
しかしながら、上述の特許文献１に記載の構成では、充電とデータ通信を同時に行うためには、卓上ホルダが常に必要となり、スペースを要するとともに、気が向いたときに近くのＡＣ電源から充電を行うときには、卓上ホルダをＡＣアダプタとともに持ち運ぶ必要があり、不便であるという問題があった。
【０００６】
また、特許文献１には、データ通信をどのように行うかは一切考慮されておらず、例えば、携帯電話内に保存された画像データや音声データを、インターフェースが異なるネットワークと通信するようなデータ通信を行うことができないという問題があった。
【０００７】
そこで、本発明は、携帯電話等の携帯端末を充電できるとともに、携帯端末の記憶する情報データを、携帯端末とはインターフェースの異なるネットワークで利用することができるＡＣアダプタを提供することを目的とする。
【課題を解決するための手段】
【０００８】
上記目的を達成するため、第１の発明に係るＡＣアダプタ（１００、１００ａ、１００ｂ）は、交流電源から所定の直流電圧を生成する電源回路（１１）が実装された第１の回路基板（１０）と、
インターフェース変換手段（２７、２７ａ）が搭載された第２の回路基板（２０）と、
少なくとも１つの面に導電膜（４０）が形成された中間壁（３３）を有し、該中間壁（３３）により、前記第１の回路基板（１０）を収容する第１の収容室（３１）と、前記第２の回路基板（２０）を収容する第２の収容室（３２）とが仕切られて形成されたケース（３０、３０ａ、３０ｂ）と、
前記中間壁（３３）を貫通して、前記第１の回路基板（１０）と前記第２の回路基板（２０）とを接続するコネクタ（５０、５１、５２）と、を含むことを特徴とする。
【０００９】
これにより、第１の回路基板と第２の回路基板が高調波で干渉することを防ぐことができ、ＡＣアダプタ本来の直流充電電圧を生成する機能と、異なるインターフェースに対する通信機能を１つのＡＣアダプタ内に搭載することができ、小型でありながら、高機能を有するＡＣアダプタとすることができる。
【００１０】
第２の発明は、第１の発明に係るＡＣアダプタ（１００、１００ａ、１００ｂ）において、
前記導電膜（４０）は、金属蒸着膜であることを特徴とする。
【００１１】
これにより、金属膜の形成により中間壁に十分なシールド効果を持たせられるとともに、蒸着により剥がれたりするおそれを低減させ、高耐久性を有するＡＣアダプタとすることができる。
【００１２】
第３の発明は、第１又は第２の発明に係るＡＣアダプタ（１００、１００ａ、１００ｂ）において、
前記第１の回路基板（１０）と前記第２の回路基板（２０）は、前記中間壁（３３）を隔てて対向して配置されていることを特徴とする。
【００１３】
これにより、ＡＣアダプタを省スペースに構成することができる。
【００１４】
第４の発明は、第１〜３のいずれかの発明に係るＡＣアダプタ（１００、１００ａ、１００ｂ）において、
前記インターフェース変換手段（２７、２７ａ）は、ＵＳＢインターフェースとイーサネット（登録商標）インターフェースとの変換回路（２７ａ）又は前記ＣＰＵが読み込む変換プログラム（２７）を含むことを特徴とする。
【００１５】
これにより、ＵＳＢインターフェースから取得した情報を、例えば、家庭内ネットワーク等に利用することができ、情報の有効利用を図ることができる。
【００１６】
第５の発明は、第１〜４のいずれかの発明に係るＡＣアダプタ（１００、１００ａ、１００ｂ）において、
前記第１の回路基板（１０）及び前記第２の回路基板（２０）には、トランス（１２、２９）が搭載されていることを特徴とする。
【００１７】
これにより、第１の回路基板及び第２の回路基板の発熱を低減することができるとともに、トランス間の高調波の干渉を低減させることができる。
【００１８】
第６の発明は、第４の発明に係るＡＣアダプタ（１００、１００ａ、１００ｂ）において、
前記ケース（３０）の外側には、先端に携帯端末（１１０）と接続可能なコネクタ（６１）を有し、該携帯端末（１１０）を充電させるとともに該携帯端末（１１０）とＵＳＢ通信を行うケーブル（６０）と、イーサネットケーブル（１２０）が接続可能なコネクタ（７０）が備えられていることを特徴とする。
【００１９】
これにより、携帯端末を充電しながら、携帯端末の有する情報データをイーサネットに展開することができ、携帯端末にとって必要な充電を行いつつ情報データを有効活用することができる。
【００２０】
第７の発明は、第４の発明に係るＡＣアダプタ（１００、１００ａ、１００ｂ）において、
前記ケース（３０）の外側には、ＵＳＢコネクタ（８０）と、イーサネットケーブル（１２０）が接続可能なコネクタ（７０）が備えられていることを特徴とする。
【００２１】
これにより、種々の携帯端末のデータをイーサネットで利用することができる。
【００２２】
なお、上記括弧内の参照符号は、理解を容易にするために付したものであり、一例に過ぎず、図示の態様に限定されるものではない。
【発明の効果】
【００２３】
本発明によれば、省スペースで情報端末の充電を行いつつ、情報端末の情報をインターフェースの異なるネットワークで利用することができる。
【図面の簡単な説明】
【００２４】
【図１】実施例１に係るＡＣアダプタ１００を含むシステム構成の一例を示した図である。
【図２】図２は、実施例１に係るＡＣアダプタ１００内部のシステム構成の一例を示した図である。図２（Ａ）は、実施例１に係るＡＣアダプタ１００の機能ブロック図の一例である。図２（Ｂ）は、ソフトウェアのデータ構造の一例を示した模式図である。
【図３】実施例１に係るＡＣアダプタ１００の内部構成の一例を示した図である。図３（Ａ）は、実施例１に係るＡＣアダプタ１００の側断面構成の一例を示した図である。図３（Ｂ）は、図３（Ａ）のＡＡ'断面の平面構成の一例を示した平面図である。
【図４】実施例２に係るＡＣアダプタ１００ａの全体構成の一例を示した図である。図４（Ａ）は、実施例２に係るＡＣアダプタ１００ａの機能ブロックの一例を示した図である。図４（Ｂ）は、ソフトウェアのデータ構造の一例を示した模式図である。
【図５】実施例３に係るＡＣアダプタ１００ｂを含むシステム構成の例を示した図である。
【図６】実施例３に係るＡＣアダプタ１００ｂの内部構成の一例を示した図である。図６（Ａ）は、実施例３に係るＡＣアダプタ１００ｂの側断面構成を示した図である。図６（Ｂ）は、図６（Ａ）のＡＡ' 断面の中間壁３３の平面図である。
【発明を実施するための形態】
【００２５】
以下、図面を参照して、本発明を実施するための形態の説明を行う。
【実施例１】
【００２６】
図１は、本発明を適用した実施例１に係るＡＣ（Alternating Current）アダプタ１００を含むシステム構成の一例を示した図である。図１において、実施例１に係るＡＣアダプタ１００は、ケース３０と、ブレード９０と、ＵＳＢ（Universal Serial Bus）ケーブル６０とを備える。また、ケース３０の外側の表面には、イーサネット（登録商標）ケーブルが接続可能なイーサネットコネクタ７０が設けられ、ＵＳＢケーブル６０の先端には、携帯電話１１１用のＵＳＢコネクタ６１が設けられている。ＵＳＢコネクタ６１は、携帯電話１１１の入出力コネクタ１１２に接続されている。ＵＳＢコネクタ６１は、携帯電話１１１が専用の特殊な入出力コネクタ１１２を有する場合には、携帯電話１１１用の特殊なＵＳＢコネクタ６１として構成される。一方、携帯電話１１１の入出力コネクタ１１２が、デジタルカメラ等の他の種類の携帯端末と互換性を有する標準的なＵＳＢ接続可能に構成されている場合には、そのような他の携帯端末にも使用可能なＵＳＢコネクタ６１であってよい。
【００２７】
イーサネットコネクタ７０には、イーサネットケーブル１２０が接続される。イーサネットケーブル１２０には、デバイス１３０が接続され、ＬＡＮ（Local Area Network）又はＷＡＮ（Wide Area network）が形成されている。イーサネットケーブル１２０に接続されているデバイス１３０は、例えば、パーソナルコンピュータ１３１や、ハブ（集線装置）１３２や、インターネット１３３や、サーバ１３４であったりしてよい。デバイス１３０は、用途に応じて、複数のデバイス１３０が接続され、種々のネットワークを形成してよい。ネットワークは、例えば、ＤＬＮＡ（Digital Living Network Area）等の家庭内ネットワークであってもよい。また、サーバ１３４は、例えば、上述のＤＬＮＡ用のサーバ１３４であってもよい。
【００２８】
図１において、ＡＣアダプタ１００は、ブレード９０が交流電源のコンセントに挿入されることにより、交流電圧１００〔Ｖ〕から携帯電話１１１の充電に必要な直流電圧に変換して生成する電圧変換生成機能を有する。そして、ＡＣアダプタ１００は、ＵＳＢケーブル６０及びＵＳＢコネクタ６１を介して、生成した直流電圧を携帯電話１１１の入出力コネクタ１１２に供給する。
【００２９】
また、ＡＣアダプタ１００は、図示しないＣＰＵを備えている。ＡＣアダプタ１００は、ＵＳＢケーブル６０及びＵＳＢコネクタ６１を介して携帯電話１１１に接続されているので、マスストレージとしてＤドライブのように認識することができ、携帯電話１１１に保存されている情報データをファイルとして認識することができる。そして、ＡＣアダプタ１００は、携帯電話１１１のメモリに記憶されている画像データや、音声データをファイルとして認識することができ、認識したファイルにアクセスすることができる。
【００３０】
このように、本実施例に係るＡＣアダプタ１００は、携帯電話１１１にＵＳＢケーブル６０を介して接続されることにより、交流電圧を直流電圧に変換して携帯電話１１１に供給する機能と、携帯電話１１１とＵＳＢ通信を行う機能を有している。
【００３１】
一方、ＡＣアダプタ１００は、ケース３０に設けられたイーサネットコネクタ７０にイーサネットケーブル１２０が接続されることにより、各デバイス１３０とイーサネットを組むことが可能となっている。イーサネットケーブル１２０には、パーソナルコンピュータ１３１と、ハブ１３２と、インターネット１３３と、サーバ１３４とがデバイス１３０として接続されている。ＡＣアダプタ１００は、携帯電話１１１から取り込んだ各種データを、イーサネットケーブル１２０を介して通信を行い、各デバイス１３０に供給することができる。
【００３２】
パーソナルコンピュータ１３１は、画像を表示したり、音声を出力したり、画像データや音声データ等の編集及び加工を行うことができる演算処理手段である。これにより、携帯電話１１１内に保存されている各種データを、パーソナルコンピュータ１３１で出力したり、加工したりすることが可能となる。なお、パーソナルコンピュータ１３１は、図１においては、１台のみ表示されているが、複数台が接続されていてもよい。
【００３３】
ハブ１３２は、スター型ＬＡＮで用いられる集線装置であり、各デバイス１３０は、ハブ１３２を介して相互に接続されていてよい。
【００３４】
インターネット１３３は、国際的にネットワーク同士が接続されている外部のコンピュータネットワークに、各デバイス１３０を接続可能にするネットワーク接続手段である。これにより、携帯電話１１１内の保存データを、外部のネットワークに送信することができる。
【００３５】
サーバ１３４は、各デバイス１３０を、例えば、家庭内でＤＬＮＡ等の家庭内ネットワークを組む際に、サーバ機能を有するコンピュータである。例えば、ＤＬＮＡを利用すると、パーソナルコンピュータ１３１内の画像データを、ＤＬＮＡ対応の高品質のテレビで表示したり、ＤＬＮＡ対応の高品質オーィオで音声データを出力したりすることが可能となる。サーバ１３４は、そのようなＬＡＮを組む際に、サーバ機能を有するコンピュータとして機能する。
【００３６】
このように、本実施例に係るＡＣアダプタ１００によれば、携帯電話１１１内のデータを、家庭内のデバイス１３０で出力、加工したりするだけでなく、外部のインターネットに送信したり、また、外部からデータを携帯電話１１１にダウンロードしたりすることも可能となる。
【００３７】
次に、図２を用いて、ＡＣアダプタ１００内部のシステム構成の一例について説明する。図２は、実施例１に係るＡＣアダプタ１００内部のシステム構成の一例を示した図である。図２（Ａ）は、実施例１に係るＡＣアダプタ１００の機能ブロック図の一例である。図２（Ａ）において、実施例１に係るＡＣアダプタ１００は、第１の回路基板１０と、第２の回路基板２０と、ケース３０と、ＵＳＢケーブル６０とを備える。第１の回路基板１０及び第２の回路基板２０は、ケース３０内に収容され、ＵＳＢケーブル６０は、ケース３０内部の第２の回路基板に接続され、ケース３０の内部から、外部に露出している。
【００３８】
第１の回路基板１０は、電源回路１１が搭載された回路基板である。電源回路１１は、交流電源から、携帯電話１１１の電源となる所定の直流電圧を生成する機能を有する。電源回路１１は、交流電源１００〔Ｖ〕から所定の直流電圧を生成するために、例えば、交流電圧１００〔Ｖ〕から直流電圧１００〔Ｖ〕への変換を行い、次いで、直流電圧１００〔Ｖ〕から、所定の大きさの直流電圧を得るための電圧変換を行う。所定の大きさの直流電圧は、例えば、４〜５〔Ｖ〕程度であってもよい。そのような電圧変換を行うため、電源回路１１は、トランス１２を備えていてよい。
【００３９】
第２の回路基板２０は、マイクロコンピュータ２１が搭載された回路基板２１である。また、第２の回路基板２０は、イーサネットコネクタ７０に接続されており、必要に応じて、トランス２９が搭載されてもよい。
【００４０】
マイクロコンピュータ２１は、ＣＰＵ（Central Processing Unit、中央処理装置）２２と、メモリ２３とを備える。メモリ２３の記憶内容のソフトウェアの一例は、図２（Ｂ）に示されている。
【００４１】
図２（Ｂ）は、メモリ２３に記憶されているソフトウェアのデータ構造の一例を示した模式図である。図２（Ｂ）において、メモリ２３に記憶されたソフトウェアは、基本ソフトウェアとして、ＯＳ（Operating System、オペレーティングシステム）２４が備えられ、アプリケーションソフトウェア２８として、ＴＣＰ／ＩＰ（Transmission Control Protocol／Internet Protocol、トランスミッションコントロールプロトコル／インターネットプロトコル）プログラム２５と、ＤＬＮＡプログラム２６と、インターフェース変換プログラム２７とが記憶されている。よって、ＣＰＵ２２が、アプリケーションソフトウェア２８のプログラムを順次読み込んで実行することにより、マイクロコンピュータ２１は、ＵＳＢケーブル６０を介して、携帯電話１１１との通信及びイーサネットとの通信に必要な機能を果たす。
【００４２】
ＯＳ２４は、ＣＰＵ２２がアプリケーションソフトウェア２８を動作させるための基本ソフトウェアである。ＴＣＰ／ＩＰプログラム２５は、イーサネットで標準的に使用されるＴＣＰ／ＩＰのプロトコルを用いた通信を行うためのプログラムである。ＤＬＮＡプログラム２６は、家庭内ネットワークのＤＬＮＡを用いた通信を行うためのプログラムである。
【００４３】
インターフェース変換プログラム２７は、ＵＳＢ通信に用いられるＵＳＢインターフェースとイーサネット通信に用いられるイーサネットインターフェース同士の変換を行うためのプログラムである。携帯電話１１１内にあるデータを、イーサネット上で用いるためには、携帯電話１１１に用いられているＵＳＢインターフェースと、イーサネット上で用いられているイーサネットインターフェースとの相互互換を図る必要がある。第２の回路基板２０においては、ＵＳＢインターフェースとイーサネットインターフェースとのインターフェース変換処理を、ＣＰＵ２２がインターフェース変換プログラム２７を読み込むことによりマイコン２１が行う。よって、インターフェース変換プログラム２７は、インターフェース変換手段の一部として機能する。
【００４４】
図２（Ａ）に戻る。トランス２９は、平衡型トランスであり、不平衡を平衡にするトランスである。トランス２９の１次側は、マイクロコンピュータ２１に接続され、２次側は、イーサネットコネクタ７０に接続されている。
【００４５】
また、ＵＳＢケーブル６０は、先端にＵＳＢコネクタ６１が設けられ、携帯電話１１１と接続可能に構成されているとともに、他端は、マイクロコンピュータ２１に接続されている。マイクロコンピュータ２１には、ＣＰＵ２２が搭載され、インターフェース変換プログラム２７がメモリ２３内に記憶されているので、ＵＳＢケーブル６０からマイクロコンピュータ２１に供給されたＵＳＢ通信データは、マイクロコンピュータ２１でイーサネットにおいて通信可能な信号に変換され、トランス２９を介して、イーサネットコネクタ７０から出力可能な状態とされる。
【００４６】
このように、実施例１に係るＡＣアダプタ１００は、携帯電話１１１との通信で使用されるＵＳＢインターフェースと、イーサネットでの通信で使用されるイーサネットインターフェースとの変換が可能なインターフェース変換手段として、ＣＰＵ２２及びインターフェース変換プログラム２７を含む。つまり、ＡＣアダプタ１００は、ＯＳ２４上でインターフェース変換プログラム２７を動作させることにより、携帯電話１１１とイーサネットとの通信が可能なように構成されている。
【００４７】
しかしながら、第１の電気回路１０と第２の電気回路２０とを、同じケース３０内で動作させると、第１の電気回路１０の電源回路１１に搭載され、大電流が流れるトランス１２が発生させる磁界が、第２の電気回路２０に搭載された小電流が流れるトランス２９に影響を与え、第２の電気回路２０の動作がうまくいかない場合がある。そこで、本実施例に係るＡＣアダプタ１００においては、第１の電気回路１０と第２の電気回路２０の構成においても、そのような磁界の干渉が発生しない構成としている。
【００４８】
図３は、実施例１に係るＡＣアダプタ１００のケース３０内の内部構成の一例を示した図である。図３（Ａ）は、実施例１に係るＡＣアダプタ１００の側断面構成の一例を示した図である。図３（Ｂ）は、図３（Ａ）のＡＡ'断面の平面構成の一例を示した平面図である。
【００４９】
図３（Ａ）において、実施例１に係るＡＣアダプタ１００は、第１の電気回路１０と、第２の電気回路２０と、ケース３０と、コネクタ５０と、ＵＳＢケーブル６０と、イーサネットコネクタ７０と、ブレード９０とを備える。なお、図１及び図２と同様の構成要素については、同一の参照符号を付して、その説明を省略する。
【００５０】
図３（Ａ）において、実施例１に係るＡＣアダプタ１００は、ケース３０が、中間壁３３で仕切られた第１の収容室３１と、第２の収容室３２とを有し、第１の回路基板１０が第１の収容室に収容され、第２の回路基板２０が第２の収容室に収容されている。また、図３（Ａ）において、中間壁３２の第２の収容室３２側の面には、導電膜４０が形成されている。更に、中間壁３３には貫通孔３４が設けられており、第１の回路基板１０と、第２の回路基板は、コネクタ５０で接続されている。実施例１に係るＡＣアダプタ１００は、例えば、このような第１の回路基板１０と第２の回路基板２０とを別の収容室に分離して収容してもよい。これにより、第１の回路基板１０に搭載されている電源回路１１により発生する電源ノイズの、第２の回路基板２０への影響を低減させることができる。
【００５１】
ケース３０は、第１の収容室３１と第２の収容室３２を形成する中間壁３３を有する。ケース３０は、例えば、樹脂材料で構成されてよい。これにより、成型加工を容易に行うことができる。
【００５２】
第１の収容室３１には、第１の回路基板１０が収容される。また、第１の収容室３１は、交流電源のコンセントに挿入されるブレード９０も備える。第１の回路基板１０には、電源回路１１が搭載され、電源回路１１には、トランス１２が搭載されている。このトランス１２は、交流電源１００〔Ｖ〕から、１／２０程度の約５〔Ｖ〕程度への降圧を行うため、比較的大きな電流が流れ、大きな磁界を発生させる。そして、その磁界は、第２の回路基板２０に悪影響を与え得るが、図３（Ａ）に示すように、第１の収容室３１に電源回路１１及びトランス１２を密閉するように収容することにより、第２の収容室３２に収容された第２の回路基板２０への影響を低減させることができる構成となっている。
【００５３】
第２の収容室３２には、第２の回路基板２０が、密閉的に分離されて収容されている。第２の収容室３２は、中間壁３３の表面に、導電膜４０が形成されている点が、第１の収容室３１と異なる。かかる導電膜４０を中間壁３３の表面に形成することにより、第１の収容室３１から第２の収容室３２を電気的にシールドし、トランス１２からの磁界の影響を低減させることができる。導電膜４０は、導電性を有する膜であれば、種々の材料の膜を適用することができるが、例えば、金属膜であってもよい。金属膜は、種々の手法により中間壁３３の表面に形成することができるが、例えば、金属蒸着により金属蒸着膜の導電膜４０を形成するようにしてもよい。
【００５４】
なお、導電膜４０は、本実施例に係るＡＣアダプタ１００においては、中間壁３３の第２の収容室３２側のみに形成しているが、更に第１の収容室３１に形成するようにしてもよいし、第１の収容室３１側の中間壁３３のみに形成するようにしてもよい。導電膜４０の形成面は、中間壁３３の面上であれば、用途に応じて種々の態様をとりうる。
【００５５】
第２の収容室３２内に収容された第２の回路基板２０は、図２において説明したように、ＣＰＵ２２、メモリ２３等を備えるマイクロコンピュータ２１と、トランス２９とを備える。また、第２の回路基板２０に接続されたイーサネットコネクタ７０が、ケース２０の外側表面に、コネクタ部分が露出するように設けられる。マイクロコンピュータ２１は、図２において説明したように、ＡＣアダプタ１００の第２の回路基板２０は、ＵＳＢインターフェースとイーサネットインターフェースとのインターフェース変換手段として、インターフェース変換プログラム２７を、ＯＳ２４とともにメモリ２３内に記憶しており、ＣＰＵ２２によりインターフェース変換処理を行うことが可能なように構成されている。よって、第２の回路基板２０に接続されたＵＳＢケーブル６０から入力された携帯電話１１１のデータ信号は、マイクロコンピュータ２１及びトランス２９を経て、イーサネットインターフェースで使用可能な信号に変換され、イーサネットコネクタ７０から各デバイス１３０にデータ信号を供給することが可能となる。
【００５６】
一方、ＵＳＢケーブル６０の先端のＵＳＢコネクタ６１に接続された携帯電話１１１には、ＵＳＢケーブル６０から直流電圧が供給され、充電が行われる。直流電圧は、第１の回路基板１０側で生成されるが、第１の回路基板１０と第２の回路基板２０は、コネクタ５０で電気的に接続され、第１の回路基板１０の電源回路１１で生成した直流電圧が、コネクタ５０を介して、第２の回路基板２０に供給される。第２の回路基板２０からは、ＵＳＢケーブル６０を用いて携帯電話１１１への直流電圧の供給が行われ、携帯電話１１１を充電することが可能な構成となっている。
【００５７】
なお、コネクタ５０は、第１の回路基板１０と、第２の回路基板２０とを、中間壁３３の貫通孔３４を介して接続できるコネクタ５０であれば、種々の接続部品を適用することができる。例えば、コネクタ５０は、図３（Ａ）に示すように、第１の回路基板１０に雄又は雌のコネクタ５１が設けられ、第２の回路基板２０には、コネクタ５１と嵌合するコネクタ５２が設けられているような構成としてもよい。
【００５８】
図３（Ｂ）は、図３（Ａ）のＡＡ'断面における実施例１に係るＡＣアダプタ１００の平面構成を示した図である。図３（Ｂ）において、中間壁３３の第２の収容室３２側の面には、金属蒸着による導電膜４０が形成され、貫通孔３４の位置には、コネクタ５２が設けられている。貫通孔３４は、コネクタ５２により隙間が極めて小さい状態とされ、第１の収容室３１側からの磁界の漏れも少ない構成となっている。
【００５９】
なお、第１の回路基板１０と第２の回路基板２０は、コネクタ５０による接続が容易で、かつＡＣアダプタ１００のスペースを小さくするために、互いに中間壁３３を介して対向して配置されてよい。このような構成とすることにより、第１の回路基板１０と第２の回路基板２０とが平面的に重なるような配置となり、ＡＣアダプタ１００の平面的大きさを最小限にすることができる。また、コネクタ５１、５２は、第１の回路基板１０及び第２の回路基板２０の対向面上の、接続端子が形成されている位置に、各々垂直に立てるように設置すればよいので、コネクタ５１、５２の設置も容易に行うことができる。
【００６０】
このように、実施例１に係るＡＣアダプタ１００によれば、ケース３０の内部に第１の収容室３１と第２の収容室３２とを中間壁３３を仕切りとして分離形成し、中間壁３３の少なくとも一面に導電膜４０を形成することにより、第１の回路基板１０からの電源ノイズの第２の回路基板２０への影響を低減させることができる。また、ＡＣアダプタ１００をコンパクトに構成することができ、省スペースでありながら、充電機能とインターフェース変換可能な通信機能を有する多機能なＡＣアダプタ１００とすることができる。
【実施例２】
【００６１】
図４は、本発明を適用した実施例２に係るＡＣアダプタ１００ａの全体構成の一例を示した図である。図４（Ａ）は、実施例２に係るＡＣアダプタ１００ａの機能ブロックの一例を示した図である。図４（Ａ）において、実施例２に係るＡＣアダプタ１００ａは、第１の回路基板１０と、第２の回路基板２０ａと、ケース３０と、ＵＳＢケーブル６０と、イーサネットコネクタ７０を有する点は、実施例１に係るＡＣアダプタ１００と同様である。また、第１の回路基板１０が、電源回路１１とトランス１２を有する点も、実施例１に係るＡＣアダプタ１００と同様であるので、実施例１と同様の参照符号を付してその説明を省略する。
【００６２】
実施例２に係るＡＣアダプタ１００ａは、第２の回路基板２０ａが、マイクロコンピュータ２１ａと、トランス２９とを備える以外に、インターフェース変換回路２７ａを更に備える点で、実施例１に係るＡＣアダプタ１００と異なる。つまり、実施例１に係るＡＣアダプタ１００においては、ＵＳＢインターフェースとイーサネットインターフェースとの変換処理を、ソフトウェアを用いてマイクロコンピュータ２１において行ったが、実施例２に係るＡＣアダプタ１００ａにおいては、インターフェース変換回路２７ａを用いて回路的にＵＳＢインターフェースとイーサネットインターフェースとの変換処理を行う。このように、インターフェースの変換を行うインターフェース変換手段は、回路的に、インターフェース変換回路２７ａとして構成されてもよい。
【００６３】
よって、実施例２に係るＡＣアダプタ１００ａにおいては、ＵＳＢケーブル６０は、マイクロコンピュータ２１ではなく、インターフェース変換回路２７ａに接続される。なお、その他の構成要素については、メモリ２３ａに記憶されたソフトウェアの内容が異なる以外は、ＣＰＵ２２、トランス２９及びイーサネットコネクタ７０については、実施例１に係るＡＣアダプタ１００と同様の構成及び機能を有するので、同一の参照符号を付してその説明を省略する。
【００６４】
図４（Ｂ）は、メモリ２３ａに記憶されたソフトウェアのデータ構造の一例を示した模式図である。図４（Ｂ）において、ソフトウェアは、ＯＳ２４と、ＴＣＰ／ＩＰプログラム２５と、ＤＬＮＡプログラム２６とを含む。実施例２のソフトウェアは、ＯＳ２４は基本ソフトウェアとして動作し、ＴＣＰ／ＩＰプログラム２５と、ＤＬＮＡプログラム２６がアプリケーションソフトウェアとして動作する点は、実施例１のソフトウェアと同様である。実施例２に係るＡＣアダプタ１００ａのソフトウェアにおいては、インターフェース変換プログラム２７がアプリケーションソフトウェア２８ａに含まれていない点で、実施例１に係るＡＣアダプタ１００のソフトウェアと異なっている。これは、インターフェース変換の処理を、ソフトウェア的にではなく、インターフェース変換回路２７ａで回路的に処理しているからであり、ソフトウェア的なインターフェース変換処理は不要となったからである。
【００６５】
このように、実施例２に係るＡＣアダプタ１００ａのように、インターフェース変換手段は、ソフトウェアのプログラムに含まれるのではなく、インターフェース変換回路２７ａとしてハード的に構成されてもよい。回路的に処理を行うことにより、高速なインターフェース変換処理を行うことができる。
【実施例３】
【００６６】
図５は、本発明を適用した実施例３に係るＡＣアダプタ１００ｂを含むシステム構成の一例を示した図である。図５において、実施例３に係るＡＣアダプタ１００ｂは、ケース３０ｂに、ブレード９０と、イーサネットコネクタ７０とが設けられている点で、実施例１に係るＡＣアダプタ１００と同様であるが、ＵＳＢコネクタ８０が更にケース３０ｂの外側の表面に設けられている点と、ＵＳＢケーブル６０が設けられていない点で、実施例１に係るＡＣアダプタ１００と異なっている。
【００６７】
また、実施例３に係るＡＣアダプタ１００ｂを含むシステム構成は、イーサネット側は、イーサネットケーブル１２０にパーソナルコンピュータ１３１と、ハブ１３２と、インターネット１３３等のデバイス１３０が接続されている点で実施例１に係るＡＣアダプタ１００を含むシステム構成と同様であるが、ＵＳＢ側は、携帯電話１１１だけでなく、デジタルビデオ１１３と、デジタルカメラ１１４とを携帯端末１１０として含む点で、実施例１に係るＡＣアダプタ１００を含むシステムと異なっている。
【００６８】
このように、実施例３に係るＡＣアダプタ１００ｂは、ＵＳＢケーブル６０ではなく、ＵＳＢコネクタ８０をケース３０ｂの外側表面に設け、ＵＳＢ通信を、ＵＳＢコネクタ８０を用いるようにしてもよい。その際、ＵＳＢコネクタ８０を、携帯端末１１０全般に標準的に用いられているＵＳＢコネクタ８０とすることにより、充電及び通信対象の携帯端末１１０として、携帯電話１１１以外に、デジタルビデオ１１３と、デジタルカメラ１１４等を含めることができる。このように、ＡＣアダプタ１００ｂの充電及びＵＳＢ通信の対象は、携帯電話１１１のみならず、充電及びＵＳＢ通信を行う携帯端末１１０全般としてもよい。これにより、携帯端末１１０が有する画像データ又は音声データ等のデータを、イーサネット上に展開することができ、種々の携帯端末１１０について、データ出力やデータ加工を行うことができる。例えば、携帯端末１１０がデジタルビデオ１１３の場合には、動画映像をイーサネット上のパーソナルコンピュータ１３１に表示することができるし、その動画映像をインターネット１３３により外部に送信することも可能である。また、ハブ１３２により、更にパーソナルコンピュータ１３１を設け、編集を行うこともできる。デジタルカメラ１１４の場合も、デジタルビデオ１１３の場合と同様に、撮像した画像データを、パーソナルコンピュータ１３１に表示させたり、インターネット１３３により外部に送信したりすることが可能となる。
【００６９】
このように、ＡＣアダプタ１００ｂのケース３０ｂの外側表面に、ＵＳＢコネクタ８０を設け、ＡＣアダプタ１００ｂをより汎用的に携帯端末１１０全般に適用するようにしてもよい。携帯電話１１１においても、専用の入出力コネクタ１１２を設けるのではなく、標準的な携帯端末１１０用のＵＳＢコネクタを用いる場合が増加しているので、そのような携帯電話１１１については、実施例３に係るＡＣアダプタ１００ｂを適用することができる。また、実施例３に係るＡＣアダプタ１００ｂを、携帯電話１１１用としてではなく、他の種類の携帯端末１１０として構成することもできる。なお、携帯端末１１０用のＵＳＢコネクタは、パーソナルコンピュータ等に用いられているＵＳＢコネクタよりもサイズの小さいミニＵＳＢコネクタが用いられている場合も多いので、そのような種類の携帯端末１１０に適合させるためには、ミニＵＳＢコネクタ８０を用いるようにすればよい。
【００７０】
図６は、実施例３に係るＡＣアダプタ１００ｂの、内部構成の一例を示した図である。図６（Ａ）は、実施例３に係るＡＣアダプタ１００ｂの側断面構成の一例を示した図である。図６（Ａ）において、第１の収容室３１及び第１の基板回路１０と、第２の収容室３２と、コネクタ５０と、イーサネットコネクタ７０の構成は、実施例１の図３と同様であるので、同一の参照番号を付し、その説明を省略する。
【００７１】
実施例３に係るＡＣアダプタ１００ｂにおいては、第２の回路基板２０ｂの構成及びケース３０ｂの外側の構成が異なっている。第２の回路基板２０ｂには、ＵＳＢケーブル６０が接続されずに、代わりに、ＵＳＢコネクタ８０が設けられている。このように、ＵＳＢコネクタ８０を第２の回路基板２０ｂと接続し、ＵＳＢインターフェースをＵＳＢコネクタ８０としたことにより、ＵＳＢケーブル６０を取り除くことができる。
【００７２】
なお、実施例３に係るＡＣアダプタ１００ｂにおいて、インターフェース変換手段は、ソフトウェア的にメモリ２３内に保存されたインターフェース変換プログラム２７により処理を行ってもよいし、インターフェース変換回路２７ａを第２の回路基板２０ｂ上に設け、回路的にインターフェース変換の処理を行ってもよい。また、ＣＰＵ２２を含むマイクロコンピュータ２１及びトランス２９が第２の回路基板２０ｂ上に搭載される点は、実施例１に係るＡＣアダプタ１００と同様である。
【００７３】
ケース３０ｂの中間壁３３の第２の収容室３２側の面には、導電膜４０が形成されており、導電膜４０は、第１の収容室３１側又は双方に設けてもよい点も、実施例１に係るＡＣアダプタ１００と同様である。
【００７４】
図６（Ｂ）は、図６（Ａ）のＡＡ' 断面における中間壁３３の第２の収容室３２側の平面図である。図６（Ｂ）においても、実施例３に係るＡＣアダプタ１００ｂは、中間壁３３上に導電膜４０が形成され、貫通孔３４に設けられたコネクタ５２により、第１の回路基板１０と第２の回路基板２０ｂの接続が図られる点も、実施例１に係るＡＣアダプタ１００と同様である。
【００７５】
実施例３に係るＡＣアダプタ１００ｂによれば、ＵＳＢコネクタ８０をケース３０の外側表面に設けることにより、ＵＳＢ通信機能を有する携帯端末１１０全般に適用可能なＡＣアダプタ１００ｂとすることができる。
【００７６】
以上、本発明の好ましい実施例について詳説したが、本発明は、上述した実施例に制限されることはなく、本発明の範囲を逸脱することなく、上述した実施例に種々の変形及び置換を加えることができる。
【産業上の利用可能性】
【００７７】
本発明は、携帯電話等のＵＳＢ通信機能を有する携帯端末の充電用ＡＣアダプタに利用することができる。
【符号の説明】
【００７８】
１０    第１の回路基板
１１    電源回路
１２、２９    トランス
２０    第２の回路基板
２１    マイクロコンピュータ
２２    ＣＰＵ
２３    メモリ
２４    ＯＳ
２５    ＴＣＰ／ＩＰプログラム
２６    ＤＬＮＡプログラム
２７    インターフェース変換プログラム
２７ａ    インターフェース変換回路
２８    アプリケーションソフトウェア
３０    ケース
３１    第１の収容室
３２    第２の収容室
３３    中間壁
３４    貫通孔
４０    導電膜
５０、５１、５２    コネクタ
６０    ＵＳＢケーブル
６１、８０    ＵＳＢコネクタ
７０    イーサコネクタ
９０    ブレード
１００、１００ａ、１００ｂ    ＡＣアダプタ
１１０    携帯端末
１１１    携帯電話
１１２    入出力コネクタ
１１３    デジタルビデオ
１１４    デジタルカメラ
１２０    イーサネットケーブル
１３０    デバイス
１３１    パーソナルコンピュータ
１３２    ハブ
１３３    インターネット
１３４    サーバ
【図１】
2010231953.tif 000003
【図２】
2010231953.tif 000004
【図３】
2010231953.tif 000005
【図４】
2010231953.tif 000006
【図５】
2010231953.tif 000007
【図６】
2010231953.tif 000008